(57)【要約】      （修正有）【課題】比較的低トルクの一方向の駆動力を伝達するために、簡易な構造で低コストの遠心クラッチ装置を提供する。【解決手段】入力軸１と共に回転する回転盤１０に突設した一対の支軸１１，１１と、それぞれの支軸１１，１１に揺動自在に支持された一対の遠心ウェイト６，６と、該遠心ウェイト６の揺動端部に形成した噛合爪７と、出力軸２と共に回転し内周面に前記噛合爪７と噛合する複数の噛合凹部２１を形成した回転筒体２０と、前記遠心ウェイト６に遠心力が作用しないときに一対の遠心ウェイト６，６をクラッチ遮断位置に引き寄せるように配置した弾性駆動手段とから構成してある。【選択図】図１
0003142661.tif 000002
【実用新案登録請求の範囲】
【請求項１】
入力軸と共に回転する回転盤に突設した一対の支軸と、それぞれの支軸に揺動自在に支持された一対の遠心ウェイトと、該遠心ウェイトの揺動端部に形成した噛合爪と、出力軸と共に回転し内周面に前記噛合爪と噛合する複数の噛合凹部を形成した回転筒体と、前記遠心ウェイトに遠心力が作用しないときに一対の遠心ウェイトをクラッチ遮断位置に引き寄せるように配置した弾性駆動手段とからなる遠心クラッチ装置。
【請求項２】
前記弾性駆動手段が前記回転盤の回転軸と略同軸に配置したトーションバネからなり、該トーションバネの一端を一方の遠心ウェイトに係止し、他端を他方の遠心ウェイトに係止した請求項１に記載の遠心クラッチ装置。
【請求項３】
一方向の回転時にのみ前記噛合爪が前記噛合凹部と噛合するようにした請求項１又は２に記載の遠心クラッチ装置。
【請求項４】
前記遠心ウェイトを前記支軸に対して正逆いずれの回転方向にも配置可能に形成し、前記遠心ウェイトの配置方向を変えて前記噛合爪が前記噛合凹部と噛合する回転方向を切替可能にした請求項３に記載の遠心クラッチ装置。
【請求項５】
前記遠心ウェイトを前記回転盤の回転軸周りに円弧状に形成し、該遠心ウェイトの表裏を反転して配置方向を変えるようにした請求項４に記載の遠心クラッチ装置。
【考案の詳細な説明】
【技術分野】
【０００１】
本考案は、一方向の駆動力のみを伝達する遠心クラッチ装置に関する。
【背景技術】
【０００２】
従来、遠心クラッチ装置としては、入力側回転部材に回転自在に支持された遠心ウェイトと、該遠心ウェイトに応動して出力側回転部材との係合又は解離を行うように入力側回転部材に設けられたクラッチ部材からなり、回転軸線に対して対称に配設された一対のクラッチ機構と、各遠心ウェイトの作動を規制する複数のバネ機構を備えたものが知られている（例えば、特許文献１参照）。また、特許文献２には、回転速度がある値に上昇したときに出力側回転部材の噛合部と係合する噛合クラッチが開示されている。
【０００３】
【特許文献１】特開昭６０−１０９６２４号公報
【特許文献２】特公昭３８−１１２０４号公報
【考案の開示】
【考案が解決しようとする課題】
【０００４】
従来の遠心クラッチ装置は、クラッチ機構の係合又は解離を制御する制御機構が複雑なものが多いことから、比較的低トルクの一方向の駆動力を伝達するために、簡易な構造で低コストの遠心クラッチ装置が望まれていた。また、従来の遠心クラッチ装置には、簡易な構造で駆動力を伝達する回転方向を切り替えることができるものは無かった。
【課題を解決するための手段】
【０００５】
本考案は、上記課題を解決するために、入力軸と共に回転する回転盤に突設した一対の支軸と、それぞれの支軸に揺動自在に支持された一対の遠心ウェイトと、該遠心ウェイトの揺動端部に形成した噛合爪と、出力軸と共に回転し内周面に前記噛合爪と噛合する複数の噛合凹部を形成した回転筒体と、前記遠心ウェイトに遠心力が作用しないときに一対の遠心ウェイトをクラッチ遮断位置に引き寄せるように配置した弾性駆動手段とからなる遠心クラッチ装置を提供するものである。
【０００６】
また、本考案の遠心クラッチ装置は、前記弾性駆動手段が前記回転盤の回転軸と略同軸に配置したトーションバネからなり、該トーションバネの一端を一方の遠心ウェイトに係止し、他端を他方の遠心ウェイトに係止してある。
【０００７】
また、本考案の遠心クラッチ装置は、一方向の回転時にのみ前記噛合爪が前記噛合凹部と噛合するようにしてある。
【０００８】
また、本考案の遠心クラッチ装置は、前記遠心ウェイトを前記支軸に対して正逆いずれの回転方向にも配置可能に形成し、前記遠心ウェイトの配置方向を変えて前記噛合爪が前記噛合凹部と噛合する回転方向を切替可能にしてある。
【０００９】
また、本考案の遠心クラッチ装置は、前記遠心ウェイトを前記回転盤の回転軸周りに円弧状に形成し、該遠心ウェイトの表裏を反転して配置方向を変えるようにしてある。
【考案の効果】
【００１０】
本考案の遠心クラッチ装置は、入力軸と共に回転する回転盤に突設した一対の支軸と、それぞれの支軸に揺動自在に支持された一対の遠心ウェイトと、該遠心ウェイトの揺動端部に形成した噛合爪と、出力軸と共に回転し内周面に前記噛合爪と噛合する複数の噛合凹部を形成した回転筒体と、前記遠心ウェイトに遠心力が作用しないときに一対の遠心ウェイトをクラッチ遮断位置に引き寄せるように配置した弾性駆動手段とからなる構成を有することにより、所定の遠心力が遠心ウェイトに作用したときに、一対の遠心ウェイトが回転軸から遠ざかる方向に揺動し、遠心ウェイトの揺動端部に形成した噛合爪が噛合凹部と噛合して入力軸に加えた駆動力を出力軸に伝達することができる。一方、遠心ウェイトに遠心力が作用しないときには、弾性駆動手段によって一対の遠心ウェイトをクラッチ遮断位置に引き寄せることができ、簡易な構造でクラッチ機構を作動させることができる効果がある。
【００１１】
また、本考案の遠心クラッチ装置は、前記弾性駆動手段が前記回転盤の回転軸と略同軸に配置したトーションバネからなり、該トーションバネの一端を一方の遠心ウェイトに係止し、他端を他方の遠心ウェイトに係止したことにより、一つのトーションバネで一対の遠心ウェイトの作動を規制することができるから、部品点数を削減してコストを低減することができる効果がある。
【００１２】
また、本考案の遠心クラッチ装置は、一方向の回転時にのみ前記噛合爪が前記噛合凹部と噛合するようにしたことにより、入力軸に加えた一方向の駆動力のみを出力軸に伝達することができる効果がある。
【００１３】
また、本考案の遠心クラッチ装置は、前記遠心ウェイトを前記支軸に対して正逆いずれの回転方向にも配置可能に形成し、前記遠心ウェイトの配置方向を変えて前記噛合爪が前記噛合凹部と噛合する回転方向を切替可能にしたことにより、遠心ウェイトの配置方向を変えるだけで噛合爪が噛合凹部と噛合する回転方向を切り替えることができるから、簡易な構造で駆動力を伝達する回転方向を切り替えることができる効果がある。
【００１４】
また、本考案の遠心クラッチ装置は、前記遠心ウェイトを前記回転盤の回転軸周りに円弧状に形成し、該遠心ウェイトの表裏を反転して配置方向を変えるようにしたことにより、遠心ウェイトの表裏を反転するだけで簡単に遠心ウェイトの配置方向を変えることができる効果がある。
【考案を実施するための最良の形態】
【００１５】
本考案の実施の形態を図示する実施例に基づいて説明する。
本考案に係る遠心クラッチ装置は、入力軸１と共に回転する回転盤１０に突設した一対の支軸１１，１１と、それぞれの支軸１１，１１に揺動自在に支持された一対の遠心ウェイト６，６と、該遠心ウェイト６の揺動端部に形成した噛合爪７と、出力軸２と共に回転し内周面に前記噛合爪７と噛合する複数の噛合凹部２１を形成した回転筒体２０と、前記遠心ウェイト６に遠心力が作用しないときに一対の遠心ウェイト６，６をクラッチ遮断位置に引き寄せるように配置した弾性駆動手段とから構成してある。
【実施例１】
【００１６】
図１〜図４に示す実施例において、本考案に係る遠心クラッチ装置は、入力軸１が所定の回転速度に達したときにクラッチが噛合って、入力軸１から出力２軸にトルクを伝達する噛合クラッチ機構からなる。
【００１７】
図４に示すように、回転盤１０は、入力軸１の周囲に一体に形成して、入力軸１と共に回転するようにしてある。回転盤１０は、入力軸１の反対面の中心に回転軸１２を突設してあると共に、回転軸１２に対して対称に一対の支軸１１，１１を突設してある。また、回転盤１０は、回転軸１２の周囲に回転軸１２より大径で円柱状のストッパー部１３を設けてある。
【００１８】
図１に示すように、遠心ウェイト６は、回転盤１０の回転軸周りに、ストッパー部１３に沿った円弧状に形成してある。遠心ウェイト６は、一端に軸受孔８を設けてあり、回転盤１０の支軸１１に揺動自在に支持されている。遠心ウェイト６の揺動端部には、円弧の外側に向かって突出した噛合爪７を形成してある。回転盤１０には、それぞれの支軸１１に揺動自在に支持された一対の遠心ウェイト６，６を設けてある。
【００１９】
図示の実施例において、弾性駆動手段はトーションバネ３からなり、両端部を軸方向に起こした腕部３ａ，３ｂを備えている。腕部３ａ，３ｂは、トーションバネ３の中心軸に対して対称な位置に設けてある。トーションバネ３は、一端の腕部３ａを一方の遠心ウェイトの係合孔６ａに係止し、他端の腕部３ｂを他方の遠心ウェイトの係合孔６ｂに係止して、回転盤１０の回転軸と略同軸に配置してある。弾性駆動手段は、遠心ウェイト６に遠心力が作用しないときに、一つのトーションバネ３で一対の遠心ウェイト６，６を回転盤１０のストッパー部１３に当接するクラッチ遮断位置に引き寄せることができるように構成してある。
【００２０】
図３及び図４に示すように、回転筒体２０は、円板部２２を介して出力軸２の周囲に一体に形成して、出力軸２と共に回転するようにしてある。回転筒体２０の内周面には、噛合爪７と噛合する複数の噛合凹部２１を形成してある。また、円板部２２には、出力軸２の反対面の中心に軸受部２３を形成してあり、回転軸１２を回転自在に軸支している。
図３及び図４において、４はカバー体であり、回転筒体２０の開口部に着脱自在に冠着し、ネジ５で固定してある。
【００２１】
本考案に係る遠心クラッチ装置は、図１に示す停止した状態において、入力軸１が所定の回転速度に達して遠心ウェイト６に所定の遠心力が作用したときに、一対の遠心ウェイト６，６がトーションバネ３のバネ力に抗して回転軸１２から遠ざかる方向に揺動する。そして、図２に示すように、一方の噛合爪７又は両方の噛合爪７，７が噛合凹部２１と噛合すると、クラッチが噛合って入力軸１から出力軸２にトルクを伝達することができる。  
【００２２】
また、遠心クラッチ装置は、入力軸１の回転を停止して、遠心ウェイト６に遠心力が作用しなくなると、トーションバネ３のバネ力によって一対の遠心ウェイト６，６をストッパー部１３に引き寄せ、噛合爪７が噛合凹部２１と解離してクラッチが遮断される。
【００２３】
また、遠心クラッチ装置は、入力軸１に一方向の駆動力を加えたときにのみ噛合爪７が噛合凹部２１と噛合するように構成してある。遠心クラッチ装置は、入力軸１が時計回り（図１及び図２において反時計回り）に回転したときに、噛合爪７が噛合凹部２１と噛合するようにしてある。一方、入力軸１が反時計回りに回転したときには、噛合爪７が噛合凹部２１と噛合しないから、入力軸１から出力軸２にトルクは伝達されない。
【００２４】
また、遠心クラッチ装置は、遠心ウェイト６を支軸１１に対して正逆いずれの回転方向にも配置可能に形成し、遠心ウェイト６の配置方向を変えて噛合爪７が噛合凹部２１と噛合する回転方向を切替可能にしてある。図４に示すように、遠心ウェイト６は、表裏を反転して配置方向を容易に変えることができ、遠心クラッチ装置は、入力軸１が反時計回りに回転したときに、噛合爪７が噛合凹部２１と噛合するように組み合わせることも可能である。
【００２５】
また、遠心クラッチ装置は、入力軸１又は出力軸２に歯車を設けた構成や、回転筒体２０の外周に歯車を形成した構成にすることも可能である。
【図面の簡単な説明】
【００２６】
【図１】本考案遠心クラッチ装置の一実施例を示すＡ−Ａ線断面図。
【図２】その一実施例の作動状態を示すＡ−Ａ線断面図。
【図３】本考案遠心クラッチ装置の一実施例を示すＢ−Ｂ線断面図。
【図４】本考案遠心クラッチ装置の一実施例を示す分解斜視図。
【符号の説明】
【００２７】
１  入力軸
２  出力軸
３  トーションバネ
３ａ，３ｂ  腕部
４  カバー体
５  ネジ
６  遠心ウェイト
６ａ，６ｂ  係合孔
７  噛合爪
８  軸受孔
１０  回転盤
１１  支軸
１２  回転軸
１３  ストッパー部
２０  回転筒体
２１  噛合凹部
２２  円板部
２３  軸受部
【図１】
0003142661.tif 000003
【図２】
0003142661.tif 000004
【図３】
0003142661.tif 000005
【図４】
0003142661.tif 000006